(57)【要約】【課題】無停電電源システムにおける無瞬断切り換えの際の常用機と予備機との間の横流を確実に防止する。【解決手段】予備用無停電電源装置２は、その二次側に設けられたタイトランス１３を介して常用無停電電源装置１のバイパス回路１１へ接続されると共に、バイパス回路１１を介して無瞬断切換回路７に接続されたものとなっており、通常時は、常用無停電電源装置１により負荷８への交流出力の供給がなされる一方、故障や点検の際には、無瞬断切換回路７によって予備用無停電電源装置２へ切り換えられ、負荷８への交流電源供給が行われるが、タイトランス１３があるために切り換えの際の横流の発生が抑圧されるものとなっている。【選択図】図１
2006042561.tif 000002
【特許請求の範囲】
【請求項１】
常用無停電電源装置と予備用無停電電源装置とを具備してなる共通予備無停電電源システムにおいて、前記予備用無停電電源装置の二次側にタイトランスを設け、当該タイトランスを介して予備用無停電電源装置による負荷への電源供給がなされるようにしたことを特徴とする共通予備無停電電源システム。
【請求項２】
前記タイトランスの二次側は、前記常用無停電電源装置のバイパス回路に接続されてなることを特徴とする請求項１記載の共通予備無停電電源システム。
【発明の詳細な説明】
【技術分野】
【０００１】
本発明は、常用無停電電源装置が点検や故障の際に予備用無停電電源装置による負荷への電源供給を可能とした共通予備無停電電源システムに関するものである。
【背景技術】
【０００２】
複数の常用無停電電源装置と予備用無停電電源装置とを具備してなる無停電電源システムとしては、例えば、特許文献１等に示されたようなものがある。かかる無停電電源システムにおいては、常用無停電電源装置の点検による動作停止や故障が生ずると、負荷への電源供給が常用無停電電源装置から予備用無停電電源装置によるバイパス運転に切り換えられるようになっている。
【特許文献１】特開平５−１３０７４０号公報
【発明の開示】
【発明が解決しようとする課題】
【０００３】
ところが、上述のようなシステムにおいて、バイパス運転に切り替わる際、切り換え前後の回路インピーダンスの相違に起因する横流が予備用無停電電源装置と常用無停電電源装置の間に発生し、そのため、予備用無停電電源装置の出力段、すなわち、直流を交流へ変換するインバータ部分が過負荷となる畏れがある。
【０００４】
また、単独設置された既設の常用無停電電源装置に、後から予備用の無停電電源装置を付加する際、負荷設備の特性や運用上の問題などから停電が許されないような場合には、上述のような横流の発生防止のためのリアクトルを追加するような回路の改造作業ができず、横流の発生防止のための事前の策を効果的に施すことが困難なことがある。
【０００５】
本発明の目的は、無停電電源システムにおける無瞬断切り換えの際の常用機と予備機との間に生ずる横流を確実に防止し、しかも、予備機を後から増設するような場合にあっても、無停電電源装置による負荷設備への電源供給を停止させることなく増設作業の実施を可能とする共通予備電源無停電電源システムを提供することにある。
【課題を解決するための手段】
【０００６】
上記本発明の目的を達成するため、本発明に係る共通予備無停電電源システムは、常用無停電電源装置と予備用無停電電源装置とを具備してなる共通予備無停電電源システムにおいて、前記予備用無停電電源装置の二次側にタイトランスを設け、当該タイトランスを介して予備用無停電電源装置による負荷への電源供給がなされるよう構成されてなるものである。
【発明の効果】
【０００７】
本発明によれば、常用無停電電源装置のバイパス回路を介して無瞬断切換回路に予備用無停電電源装置の二次側がタイトランスを介して接続されるようにしたので、常用無停電電源装置が故障などによって、バイパス回路に切り換えられた場合には、予備用無停電電源装置による負荷への交流電源の供給がなされ、負荷に対して信頼性の高い無停電電源システムを提供することができ、しかも、タイトランスによって従来と異なり、常用機と予備機の切り換えの際に、両者間に横流が発生することが確実に抑圧され、安定、かつ、信頼性の高い無停電電源システムが提供できる。
【発明を実施するための最良の形態】
【０００８】
以下、本発明の実施の形態について、図１及び図２を参照しつつ説明する。図１は、本発明の実施の形態における共通予備無停電電源システムの構成図、図２は、図１に示された共通予備無停電電源システムを構成する予備用無停電電源装置の構成図である。
【０００９】
共通予備無停電電源システムは、一台の常用無停電電源装置１に対して、一台の予備用無停電電源装置２が設けられたものとなっている。常用無停電電源装置１は、通常運転状態においては、商用電源３からの交流入力が開閉器４を介して順変換器５に入力され、この順変換器５によって交流・直流変換が行われるようになっている。そして、順変換器５の直流出力は、逆変換器６において交流に逆変換されて、無瞬断切換回路７を介して負荷８へＵＰＳ運転による交流電源の供給が行われるようになっている。また、順変換器５の直流出力は、直流入力遮断器９を介して蓄電池１０に蓄積されるようになっており、例えば、商用電源３の停電が生じた場合や、順変換器５の故障により直流出力が停止された場合などに、蓄電池１０の直流エネルギーが逆変換器６により交流変換されて、負荷８への交流出力の供給が連続して行えるようになっている。
【００１０】
また、常用無停電電源装置１には、バイパス回路１１が設けられており、このバイパス回路１１の入力側は、バイパス入力開閉器１２を介して予備用無停電電源装置２の出力段に接続される一方、出力側は、無瞬断切換回路７に接続されており、予備用無停電電源装置２の出力信号が無瞬断切換回路７へ入力されるようになっている。
【００１１】
一方、予備用無停電電源装置２は、後述するようにその出力段、すなわち、二次側にタイトランス１３が設けられた点を除けば、その基本的な構成は、上述した常用無停電電源装置１と同一のものである。本発明の実施の形態における予備用無停電電源装置２では、バイパス回路１１の入力側が順変換器５の入力側と共に商用電源３に接続されたものとなっている。そして、この予備用無停電電源装置２の二次側には、タイトランス１３の一次側が接続されており、タイトランス１３の二次側は、開閉器１４を介して常用無停電電源装置１のバイパス入力開閉器１２に接続されたものとなっている（図１及び図２参照）。
【００１２】
かかる構成において、通常運転時においては、先に述べたように常用無停電電源装置１により負荷８への交流出力が供給されると共に、予備用無停電電源装置２は、開閉器１４が閉じ、常用無停電電源装置１のバイパス回路１１へ接続されて、常用無停電電源装置１と同期運転状態とされる。
【００１３】
そして、常用無停電電源装置１が故障もしくは点検のため、無瞬断切換回路７によって、常用無停電電源装置１がバイパス運転に無瞬断で切り換えられると、予備用無停電電源装置２からの交流出力がタイトランス１３、開閉器１４、バイパス入力開閉器１２及び無瞬断切換回路７を介して負荷８へ供給されることとなる。この共通予備電源無停電電源システムでは、予備用無停電電源装置２の二次側に設けられたタイトランス１３によって予備用無停電電源装置２と常用無停電電源装置１の間のアイソレーションがとれるために、常用無停電電源装置１から予備用無停電電源装置２へ切り換わる際に、従来と異なり、常用無停電電源装置１と予備用無停電電源装置２の間に横流が流れることが確実に抑圧され、安定、かつ、信頼性の高い電源供給が実現される。
【００１４】
また、上述の構成例では、常用無停電電源装置１と予備用無停電電源装置２が予め設けられたシステムを例に説明したが、例えば、常用無停電電源装置１のみが最初に設けられて、常時運転状態にある場合に、後日、予備用無停電電源装置２を増設するような場合、常用無停電電源装置１を停止させることなく予備用無停電電源装置２の接続が可能である。
【図面の簡単な説明】
【００１５】
【図１】本発明の実施の形態における共通予備無停電電源システムの構成図。
【図２】図１に示された共通予備無停電電源システムを構成する予備用無停電電源装置の構成図。
【符号の説明】
【００１６】
１…常用無停電電源装置、２…予備用無停電電源装置、３…商用電源、４…開閉器、５…順変換器、６…逆変換器、７…無瞬断切換回路、８…負荷、９…直流入力遮断器、１０…蓄電池、１１…バイパス回路、１２…バイパス入力開閉器、１３…タイトランス、１４…開閉器
【図１】
2006042561.tif 000003
【図２】
2006042561.tif 000004